(57)【要約】【課題】複数の給紙トレイ内の記録用紙のセット状態に係わらず記録用紙の選択を容易にして操作性を高めた画像形成装置を提供すること。【解決手段】  画像形成装置１は、操作指令を入力できる操作手段１１ａ、用紙の状態（用紙有無、用紙サイズ、用紙種類）の少なくとも一つを表示できる表示手段１１ｂ、複数の給紙トレイ２１ａ，２１ｂ，２１ｃ内の用紙の状態の少なくとも一つを検出できる用紙検出手段２７ａ，２７ｂ，２７ｃ、１１ａからの操作指令を取込んで各種制御をし２７ａ，２７ｂ，２７ｃからの検出信号及び操作指令の一部または全部を基に給紙トレイ内の用紙の状態を１１ｂに表示させるシステム制御部１９を備え、１９は、２７ａ，２７ｂ，２７ｃからの検出信号と１１ａからの操作指令に基づき、同一向きの用紙及び同一サイズに設定されている給紙トレイを見かけ上同一の給紙トレイとして表示制御をする給紙トレイ管理手段１９５を具備したものである。【選択図】         図２
2005091963.tif 000002
【特許請求の範囲】
【請求項１】
操作指令を入力できる操作手段と、
用紙有無、用紙サイズ及び用紙種類の少なくとも一つを表示できる表示手段と、
複数の給紙トレイ内の用紙有無、用紙サイズ及び用紙種類の少なくとも一つを検出できる用紙検出手段と、
前記操作手段からの操作指令を取込んで各種制御をし、かつ、前記用紙検出手段からの検出信号及び前記操作指令の一部または全部を基に前記給紙トレイ内の用紙の状態を前記表示手段に表示させるシステム制御手段と、を備えた画像形成装置であって、
前記システム制御手段は、前記用紙検出手段からの検出信号と前記操作手段からの操作指令とに基づき、同一向きの用紙及び同一サイズに設定されている給紙トレイを、見かけ上同一の給紙トレイとして表示制御をするとともに用紙供給制御をする給紙トレイ管理手段を有することを特徴とする画像形成装置。
【請求項２】
前記システム制御手段は、前記操作手段からの操作指令を基に、前記給紙トレイ管理手段の動作を動作／停止させる機能オンオフ管理手段を有することを特徴とする請求項１記載の画像形成装置。
【請求項３】
前記表示手段は、用紙サイズを表示可能とした用紙サイズ表示手段を有し、かつ前記用紙サイズ表示手段を用紙選択操作を行う操作パネル上に設け、
前記システム制御手段は、前記用紙検出手段からの検出信号を基に、用紙サイズまたは用紙の向きを前記用紙サイズ表示手段に表示させる第１の表示制御手段を有することを特徴とする請求項１記載の画像形成装置。
【請求項４】
前記表示手段は、用紙切れを表示できる用紙切れ表示手段を有し、
前記システム制御手段は、前記用紙検出手段からの用紙切れ信号を基に、用紙切れの給紙トレイを前記用紙切れ表示手段に表示させる第２の表示制御手段を有することを特徴とする請求項１記載の画像形成装置。
【請求項５】
操作指令を入力できる操作手段と、
用紙有無、用紙サイズ及び用紙種類の少なくとも一つを表示できる表示手段と、
複数の給紙トレイ内の用紙有無、用紙サイズ及び用紙種類の少なくとも一つを検出できる用紙検出手段と、
前記操作手段からの操作指令を取込んで各種制御をし、かつ、前記用紙検出手段からの検出信号及び前記操作指令の一部または全部を基に前記給紙トレイ内の用紙の状態を前記表示手段に表示させるシステム制御手段と、を備えた画像形成装置であって、
前記表示手段は、用紙サイズを表示可能とした用紙サイズ表示手段と、用紙切れを表示できる用紙切れ表示手段と、を有し、かつ前記用紙サイズ表示手段を用紙選択操作を行う操作パネル上に設け、
前記システム制御手段は、前記用紙検出手段からの検出信号と前記操作手段からの操作指令とに基づき、同一向きの用紙及び同一サイズに設定されている給紙トレイを、見かけ上同一の給紙トレイとして表示制御をするとともに用紙供給制御をする給紙トレイ管理手段と、
前記操作手段からの操作指令を基に、前記給紙トレイ管理手段の動作を動作／停止させる機能オンオフ管理手段と、
前記用紙検出手段からの検出信号を基に、用紙サイズまたは用紙の向きを前記用紙サイズ表示手段に表示させる第１の表示制御手段と、
前記用紙検出手段からの用紙切れ信号を基に、用紙切れの給紙トレイを前記用紙切れ表示手段に表示させる第２の表示制御手段と、を有することを特徴とする画像形成装置。
【発明の詳細な説明】
【技術分野】
【０００１】
本発明は、複数の給紙トレイを装着しているプリンタ、複写機あるいは複合機などの画像形成装置に用いられる給紙トレイ情報を表示可能にした画像形成装置に関するものである。
【背景技術】
【０００２】
プリンタ、複写機、あるいは、ファクシミリ・複写機・プリンタを統合した複合機などの画像形成装置は、大別すると、筐体と、当該筐体上部に設けられた画像読取装置と、前記画像読取装置や他装置からの画像信号によって画像を作成して記録用紙に転写・定着させる画像作成装置と、前記画像作成装置に記録用紙を供給する給紙トレイ装置と、各種操作指令を入力しかつ必要な表示を行うための操作表示装置とを備えている。
また、前記画像作成装置は、印字部、転写部、定着部などを有し、かつ、各種機器を制御するシステム制御部を有している。前記給紙トレイ装置は、給紙カセット（以下、「給紙トレイ」という）と、前記給紙トレイの一つから一枚ずつ記録用紙を取り出す機構と、前記給紙トレイから取り出した記録用紙を所定のタイミングで印字部、転写部、定着部などに移動させる用紙搬送機構とを備えている。
【０００３】
このような画像形成装置では、前記給紙トレイから記録用紙を一枚ずつ取り出して印字部、転写部に供給し、前記転写部（印字部）の記録担持体上のトナー像を転写し、前記定着部で記録用紙に定着して記録用紙上に画像を形成するようにしている。
このような画像形成装置としては、前記給紙トレイ装置に複数の給紙トレイを備えたものが提供されており、前記複数の給紙トレイに、記録用紙のサイズや、記録用紙の向きや、記録用紙の種類に応じて当該記録用紙を収納し、操作表示装置の操作や原稿サイズを読み取った情報から前記各給紙トレイ内の最適な記録用紙を選択して、当該選択した給紙トレイから当該記録用紙を取り出せるようにしたものが提案されている。
【０００４】
このように原稿と記録用紙のサイズ等に応じて給紙トレイを選択できる画像形成装置として、原稿サイズと用紙サイズから変倍率を選択しやすいようにしたものが提案されている（特許文献１）。
また、原稿と記録用紙のサイズ等に応じて給紙トレイを選択できる他の画像形成装置としては、両面コピー時のミスコピーを防ぐため、操作部に用紙のセット方向と位置を表示させるものが提案されている（特許文献２）。
【特許文献１】特開平０７−０５６４６６号公報
【特許文献２】特開平０９−１４６４１９号公報
【発明の開示】
【発明が解決しようとする課題】
【０００５】
上述したような従来の画像形成装置において、原稿サイズを自動的に読み取り、その原稿サイズに合わせて記録用紙のサイズなどを決定する機能（以下、「自動用紙選択機能」という）を具備しない画像形成装置においては、複数の給紙トレイを備えている場合に、同じ向き、同じサイズの記録用紙を複数の給紙トレイにセットして使用するときに、記録用紙そのものを指定する方式を採用すると、どの給紙トレイにするか迷い、操作性が悪くなるという欠点があった。
また、上記従来の画像形成装置において、操作画面が狭い場合には、選択している給紙トレイのみを表示するようにしたものが提案されているが、このような画像形成装置の場合、前記給紙トレイの切り替え用操作ボタンを押下するたびに、選択した給紙トレイに表示が切り替わるようになっている。このような画像形成装置でも、複数の給紙トレイに上述したように記録用紙がセットされていると、場合によっては、希望する記録用紙の給紙トレイにたどり着くまでに、複数の給紙トレイの数だけ操作手順を経る必要があることになり、操作性が落ちるという欠点もあった。
なお、上述したような各欠点は、上記特許文献１及び特許文献２に記載された画像形成装置においても、同様に生じていた。
そこで、本発明の目的は、複数の給紙トレイ内の記録用紙のセットの状態に係わらず記録用紙の選択を容易にして操作性を高めた画像形成装置を提供することである。
【課題を解決するための手段】
【０００６】
請求項１記載の発明では、操作指令を入力できる操作手段と、用紙有無、用紙サイズ及び用紙種類の少なくとも一つを表示できる表示手段と、複数の給紙トレイ内の用紙有無、用紙サイズ及び用紙種類の少なくとも一つを検出できる用紙検出手段と、前記操作手段からの操作指令を取込んで各種制御をし、かつ、前記用紙検出手段からの検出信号及び前記操作指令の一部または全部を基に前記給紙トレイ内の用紙の状態を前記表示手段に表示させるシステム制御手段と、を備えた画像形成装置であって、前記システム制御手段は、前記用紙検出手段からの検出信号と前記操作手段からの操作指令とに基づき、同一向きの用紙及び同一サイズに設定されている給紙トレイを、見かけ上同一の給紙トレイとして表示制御をするとともに用紙供給制御をする給紙トレイ管理手段を有することにより、前記目的を達成する。
請求項２記載の発明では、請求項１記載の画像形成装置において、前記システム制御手段は、前記操作手段からの操作指令を基に、前記給紙トレイ管理手段の動作を動作／停止させる機能オンオフ管理手段を有することにより、前記目的を達成する。
請求項３記載の発明では、請求項１記載の画像形成装置において、前記表示手段は、用紙サイズを表示可能とした用紙サイズ表示手段を有し、かつ前記用紙サイズ表示手段を用紙選択操作を行う操作パネル上に設け、前記システム制御手段は、前記用紙検出手段からの検出信号を基に、用紙サイズまたは用紙の向きを前記用紙サイズ表示手段に表示させる第１の表示制御手段を有することにより、前記目的を達成する。
請求項４記載の発明では、請求項１記載の画像形成装置において、前記表示手段は、用紙切れを表示できる用紙切れ表示手段を有し、前記システム制御手段は、前記用紙検出手段からの用紙切れ信号を基に、用紙切れの給紙トレイを前記用紙切れ表示手段に表示させる第２の表示制御手段を有することにより、前記目的を達成する。
【０００７】
請求項５記載の発明では、操作指令を入力できる操作手段と、用紙有無、用紙サイズ及び用紙種類の少なくとも一つを表示できる表示手段と、複数の給紙トレイ内の用紙有無、用紙サイズ及び用紙種類の少なくとも一つを検出できる用紙検出手段と、前記操作手段からの操作指令を取込んで各種制御をし、かつ、前記用紙検出手段からの検出信号及び前記操作指令の一部または全部を基に前記給紙トレイ内の用紙の状態を前記表示手段に表示させるシステム制御手段と、を備えた画像形成装置であって、前記表示手段は、用紙サイズを表示可能とした用紙サイズ表示手段と、用紙切れを表示できる用紙切れ表示手段と、を有し、かつ前記用紙サイズ表示手段を用紙選択操作を行う操作パネル上に設け、前記システム制御手段は、前記用紙検出手段からの検出信号と前記操作手段からの操作指令とに基づき、同一向きの用紙及び同一サイズに設定されている給紙トレイを、見かけ上同一の給紙トレイとして表示制御をするとともに用紙供給制御をする給紙トレイ管理手段と、前記操作手段からの操作指令を基に、前記給紙トレイ管理手段の動作を動作／停止させる機能オンオフ管理手段と、前記用紙検出手段からの検出信号を基に、用紙サイズまたは用紙の向きを前記用紙サイズ表示手段に表示させる第１の表示制御手段と、前記用紙検出手段からの用紙切れ信号を基に、用紙切れの給紙トレイを前記用紙切れ表示手段に表示させる第２の表示制御手段と、を有することにより、前記目的を達成する。
【発明の効果】
【０００８】
請求項１記載の発明では、給紙トレイ管理手段により、同じ向き、同じサイズの記録用紙を、同一の給紙トレイとして管理できるようにしたので、給紙トレイの選択操作時などに、希望の給紙トレイを容易に選択でき、操作性をよくすることができる。
請求項２記載の発明では、機能オンオフ管理手段を備え、当該機能オンオフ管理手段によって給紙トレイ管理手段のオンオフを可能とし、設定されている用紙の向きとサイズが同じ場合でも、用紙の種類が変更されているときには、別の給紙トレイとして表示できるようにしたので、多様な表示状態が設定可能となる。
請求項３記載の発明では、同一用紙が給紙トレイにセットされていて、給紙トレイ管理手段が動作しているときには、用紙サイズ表示手段により、用紙のサイズと向きのみを表示できるようにしたので、所望の用紙を選択することができる。
請求項４記載の発明では、用紙切れを表示できる用紙切れ表示手段を設け、かつ、用紙検出手段からの用紙切れ信号を基に、用紙切れの給紙トレイを前記用紙切れ表示手段に表示させるようにしたので、用紙切れの場合は、どの給紙トレイが用紙切れなのかが分かり、用紙補給の際にユーザが戸惑うことはなくなるという利点がある。
【０００９】
請求項５記載の発明では、次のような効果がある。
（１）給紙トレイ管理手段により、同じ向き、同じサイズの記録用紙を、同一の給紙トレイとして管理できるようにしたので、給紙トレイの選択操作時などに、希望の給紙トレイを容易に選択でき、操作性をよくすることができる。
（２）当該機能オンオフ管理手段によって給紙トレイ管理手段のオンオフを可能とし、設定されている用紙の向きとサイズが同じ場合でも、用紙の種類が変更されているときには、別の給紙トレイとして表示できるようにしたので、多様な表示状態が設定可能となる。
（３）同一用紙が給紙トレイにセットされていて、給紙トレイ管理手段が動作しているときには、用紙サイズ表示手段により、用紙のサイズと向きのみを表示できるようにしたので、所望の用紙を選択することができる。
（４）用紙検出手段からの用紙切れ信号を基に、用紙切れの給紙トレイを前記用紙切れ表示手段に表示させるようにしたので、用紙切れの場合は、どの給紙トレイが用紙切れなのかが分かり、用紙補給の際にユーザが戸惑うことがなくなる。
【発明を実施するための最良の形態】
【００１０】
以下、本発明を実施するための好適な実施の形態について図面を参照して説明する。
図１は、本発明の実施の形態にかかる画像形成装置を示した図である。
この図１において、画像形成装置１は、所定の長方形状をして一定の容積を有する筐体３と、当該筐体３上部に設けられた画像読取装置５と、前記画像読取装置５や他装置からの画像信号によって画像を作成して記録用紙に転写定着させる画像作成装置７と、前記画像作成装置７に記録用紙を供給する給紙装置９と、各種操作指令を入力しかつ必要な表示を行うための操作表示装置１１とを備えている。
また、前記画像作成装置７は、印字ユニット１３、転写ユニット１５、定着ユニット１７などを有し、かつ、各種機器を制御するシステム制御部１９を有している。
さらに、画像形成装置１は、前記操作表示装置１１、複数の給紙トレイ２１ａ，２１ｂ，２１ｃと、前記給紙トレイ２１ａ，２１ｂ，２１ｃの一つから一枚ずつ記録用紙を取り出す取出し機構２３ａ，２３ｂ，２３ｃと、前記給紙トレイ２１ａ，２１ｂ，２１ｃから取り出した記録用紙を所定のタイミングで転写ユニット１５、定着ユニット１７などに移動させる用紙搬送機構２５とを備えている。
さらに、前記画像形成装置１は、複数の給紙トレイ２１ａ，２１ｂ，２１ｃ内の用紙の有無、用紙サイズ及び用紙の種類をそれぞれ検出できる用紙検出手段２７ａ，２７ｂ，２７ｃを有している。
また、前記操作表示装置１１は、操作指令を入力できる操作手段１１ａと、用紙の有無、用紙サイズ、用紙の種類、その他必要な情報を表示できる表示手段１１ｂとから構成されている。
前記画像形成装置１の画像作成装置７は、前述したとおりシステム制御部１９を備えており、このシステム制御部１９は、前記操作手段１１ａからの操作指令を取り込んで各種制御をし、かつ、前記用紙検出手段２７ａ，２７ｂ，２７ｃからの検出信号及び前記操作指令の一部または全部を基に、前記給紙トレイ２１ａ，２１ｂ，２１ｃ内の用紙の状態を前記表示手段１１ｂに表示させることができる。
【００１１】
図２は、本発明の実施の形態にかかる画像形成装置の制御系を示したブロック図である。
この図２において、前記システム制御部１９には、画像読取装置５と、画像作成装置７と、操作表示装置１１の操作手段１１ａ及び表示手段１１ｂとが接続されている。
前記画像読取装置５は、原稿を所定の解像度で画像データとして読み取るスキャナ部である。前記画像作成装置７は、前記画像読取装置５から入力される画像データを所定の形式に変換することができる。
また、操作表示装置１１は、操作手段１１ａと表示手段１１ｂとから構成されており、表示手段１１ｂは、各種表示をする表示パネル１１１と、用紙サイズ表示手段１１２と、用紙切れ表示手段１１３とからなる。
前記システム制御部１９は、本システム全体を制御するＣＰＵ（中央演算処理装置）１９１と、本システムを動作させるためのプログラムを記憶しているＲＯＭ（Ｒｅａｄ  Ｏｎｌｙ  Ｍｅｍｏｒｙ）１９２と、本システムの管理を行うためのデータを一時的に記憶しておくＲＡＭ（Ｒａｎｄｏｍ  Ａｃｃｅｓｓ  Ｍｅｍｏｒｙ）１９３と、前記用紙検出手段２７ａ，２７ｂ，２７ｃからの検出信号やその他の検出手段などからの検出信号を取り込み、あるいは各ユニットなどを駆動する駆動指令や駆動制御信号を与える内部機器用Ｉ／Ｆ（インターフェース）制御部１９４と、複数の給紙トレイに、同じサイズ、同じ向きの用紙がセットされているときは同じ給紙トレイとして用紙を管理する給紙トレイ管理手段１９５と、前記給紙トレイ管理手段１９５の機能をオン（ＯＮ）／オフ（ＯＦＦ）に切り替えることができる機能オンオフ管理手段１９６と、前記用紙検出手段２７ａ，２７ｂ，２７ｃからの検出信号を基に、用紙サイズまたは用紙の向きを前記用紙サイズ表示手段１１２に表示させる第１の表示制御手段１９７と、前記用紙検出手段２７ａ，２７ｂ，２７ｃからの用紙切れ信号を基に、用紙切れの給紙トレイを前記用紙切れ表示手段１１３に表示させる第２の表示制御手段１９８と、ＬＡＮや公衆回線などのネットワークへの接続を行うＩ／Ｆ（インターフェース）制御部１９９と、これらを接続する内部バスライン２００とを備えたものである。ここで、給紙トレイ管理手段１９５は、例えば給紙トレイ管理プログラムをＣＰＵ１９１が処理することにより実現するようにしてもよい。また、機能オンオフ管理手段１９６は、具体的には、ＲＯＭ１９２、ＲＡＭ１９３及びＣＰＵ１９１によって構成されていて、操作表示装置１１の操作手段１１ａによる設定画面にて、本機能のＯＮ／ＯＦＦ設定を行ったことを、例えば機能オンオフ管理プログラムを前記ＣＰＵ１９１が処理することによりＲＡＭ１９３等に記憶することで実現するものである。
なお、操作表示装置１１の操作手段１１ａは、本システムを操作するための各種キーが設けられている。
【００１２】
このような画像形成装置の作用を図１及び図２を基に、図３を参照して説明する。図３は、本発明の実施の形態にかかる画像形成装置のシステム制御部の動作の一部を説明するためのフローチャートである。
まず、システム制御部１９のＣＰＵ１９１は、ＲＯＭ１９２に格納されているプログラム（図３に示すフローチャートやその他の必要なプログラム）を処理することにより、前記操作表示装置１１の操作手段１１ａの用紙選択キーが押下されたか否かを監視する（ステップ５１−ステップ５１；Ｎの繰り返し）。
ここで、前記システム制御部１９のＣＰＵ１９１は、前記操作表示装置１１の操作手段１１ａの用紙選択キーが押下されたと判断すると（ステップ５１；Ｙ）、前記給紙トレイ管理手段１９５の動作がオンか否かをチェックする（ステップ５２）。つまり、前記システム制御部１９のＣＰＵ１９１は、機能オンオフ管理手段１９６をチェックする。
ここで、前記システム制御部１９のＣＰＵ１９１は、機能オンオフ管理手段１９６がオフ（ＯＦＦ）であると判断すると（ステップ５２；Ｎ）、従来の機種と同様、当該画像形成装置１の給紙トレイ２１ａ，２１ｂ，２１ｃにセットされている給紙段を順番に選択し（ステップ５３）、選択した順番に従って前記操作表示装置１１の表示手段１１ｂに給紙段のトレイ番号を表示させる（ステップ５４）。
一方、前記システム制御部１９のＣＰＵ１９１は、前記機能オンオフ管理手段１９６がオン（ＯＮ）であると判断すると（ステップ５２；Ｙ）、現在選択しているサイズの次のサイズの情報を給紙トレイ管理手段１９５で新たに選択し（ステップ５５）、新たに選択したサイズを用紙サイズ表示手段１１２に表示する（ステップ５６）。
【００１３】
このように動作することによって、前記給紙トレイ管理手段１９５は、給紙トレイ２１ａ，２１ｂ，２１ｃ毎の用紙のサイズや向きの設定が変更された場合や、機器の電源がオン（ＯＮ）されたときに、機器に設定されている給紙トレイ２１ａ，２１ｂ，２１ｃの記録用紙サイズ、記録用紙方向の情報を収集し、同じサイズ、同じ向きのものがあれば、１つの給紙トレイとして扱うようにデータを管理する。
すなわち、上記画像形成装置１に、例えば４段の給紙トレイ２１ａ，２１ｂ，２１ｃ，２１ｄ（図示せず）が存在していているものとし、それぞれの給紙トレイ２１ａ，２１ｂ，２１ｃ，２１ｄ（図示せず）に、「Ａ４横」、「Ａ４縦」、「Ａ３」、「Ａ４横」というように記録用紙がセットされたとする。このような場合、給紙トレイ管理手段１９５は、用紙検出手段２７ａ，２７ｂ，２７ｃ，２７ｄ（図示せず）からの検出信号などを基に、その情報を「Ａ４横」、「Ａ４縦」、「Ａ３」という３つの情報にまとめる。前記給紙トレイ管理手段１９５は、そのまとめた情報を前記ステップ５５においてサイズ選択する際の選択肢として利用するものである。
【００１４】
この画像形成装置１は、上述したような構成をとっており、かつ、上述したような作用を呈するので次のような効果がある。
（１）給紙トレイ管理手段により、同じ向き、同じサイズの記録用紙を、同一の給紙トレイとして管理できるようにしたので、給紙トレイ選択操作時などは、希望の給紙トレイを容易に選択でき、操作性をよくすることができる。
（２）当該機能オンオフ管理手段によって給紙トレイ管理手段をオンオフ可能とし、設定されている用紙の向きとサイズが同じ場合でも、用紙の種類が変更されているときには、別の給紙トレイとして表示できるようにしたので、多様な表示状態が設定可能となる。
なお、この選択肢の表示順序は、最も使用頻度の高い用紙サイズをデフォルトとして、その後、用紙選択キーが押下されるたびに、大きい順に表示したり、小さい順に表示したりしてもよい。用紙選択キーが矢印キーなどで、選択方向の逆転ができるようなら、押下される矢印キーにより、選択順序を逆表示にしてもよい。
また、その選択順序などは、別の操作方法で変更できるようにしてもよい。
【００１５】
上述した画像形成装置１では、例えば給紙トレイ２１ａ，２１ｂ，２１ｃが３段存在している場合に、同じ用紙が複数の給紙トレイ２１ａ，２１ｃにセットしてあって、給紙トレイ管理手段１９５が動作しているときに、従来の機種と同様に給紙段のトレイ番号を表示させると、「給紙トレイ２１ａ」→「給紙トレイ２１ｂ」→「給紙トレイ２１ａ」と切り替わることになって、「給紙トレイ２１ｃ」がなぜ選択肢に出てこないのか不明になる場合がある。このような場合に、ユーザの操作感が悪くなることが考えられる。
この不都合について、この画像形成装置１では、用紙サイズ表示手段１１２と、第１の表示制御手段１９７とを設けることにより、これを解決している。
この画像形成装置１では、まず、操作表示装置１１の表示手段１１ｂに、用紙サイズを表示可能とした用紙サイズ表示手段１１２を設け、かつ、前記用紙サイズ表示手段１１２は用紙選択操作を行う操作手段１１ａの上に設けた構成をとっている。
【００１６】
また、前記画像形成装置１において、前記システム制御部１９には第１の表示制御手段１９７を設け、前記第１の表示制御手段１９７は、前記用紙検出手段２７ａ，２７ｂ，２７ｃからの検出信号を基に、用紙サイズまたは用紙の向きを前記用紙サイズ表示手段１１２に表示させるようにしたものである。
このように構成したので、同一用紙が給紙トレイ２１ａ，２１ｂ，２１ｃにセットされていて、給紙トレイ管理手段１９５が動作しているときには、第１の表示制御手段１９７により、用紙のサイズと向きのみが表示でき、所望の用紙を選択できることになる。
また、上述したような構成をした画像形成装置１では、同一給紙トレイ２１ａ（または２１ｂまたは２１ｃ）として管理している給紙トレイ２１が用紙切れとなった場合、例えば「Ａ４の用紙がない」と表示されても、給紙トレイ２１ａ，２１ｂ，２１ｃのどれに記録用紙を補給すればよいのか分かりにくくなってしまうことがある。
この不都合については、上記画像形成装置１は、用紙切れ表示手段１１３と、第２の表示制御手段１９８とを設けることにより、これを解決している。
【００１７】
すなわち、前記操作表示装置１１の表示手段１１ｂには、用紙切れを表示できる用紙切れ表示手段１１３を具備させている。また、前記システム制御部１９の第２の表示制御手段１９８は、前記用紙検出手段２７ａ，２７ｂ，２７ｃからの用紙切れ信号を基に、用紙切れの給紙トレイを前記用紙切れ表示手段１１３に表示させるようにしている。
このような構成を有する画像形成装置１では、用紙切れを表示できる用紙切れ表示手段１１３を設け、かつ、用紙検出手段２７ａ，２７ｂ，２７ｃからの用紙切れ信号を基に、用紙切れの給紙トレイを前記用紙切れ表示手段１１３に表示させるようにしたので、用紙切れの場合は、どの給紙トレイが用紙切れなのかが分かり、用紙補給の際にユーザが戸惑うことがなくなる。
【図面の簡単な説明】
【００１８】
【図１】本発明の実施の形態にかかる画像形成装置を示した図である。
【図２】本発明の実施の形態にかかる画像形成装置の制御系を示したブロック図である。
【図３】本発明の実施の形態にかかる画像形成装置のシステム制御部の動作の一部を説明するためのフローチャートである。
【符号の説明】
【００１９】
１  画像形成装置
３  筐体
５  画像読取装置
７  画像作成装置
９  給紙装置
１１  操作表示装置
１１ａ  操作手段
１１ｂ  表示手段
１３  印字ユニット
１５  転写ユニット
１７  定着ユニット
１９  システム制御部
２１ａ，２１ｂ，２１ｃ  給紙トレイ
２３ａ，２３ｂ，２３ｃ  取出し機構
２５  用紙搬送機構
２７ａ，２７ｂ，２７ｃ  用紙検出手段
１１１  表示パネル
１１２  用紙サイズ表示手段
１１３  用紙切れ表示手段
１９１  ＣＰＵ
１９２  ＲＯＭ
１９３  ＲＡＭ
１９４  内部機器用Ｉ／Ｆ制御部
１９５  給紙トレイ管理手段
１９６  機能オンオフ管理手段
１９７  第１の表示制御手段
１９８  第２の表示制御手段
１９９  Ｉ／Ｆ制御部
２００  内部バスライン
【図１】
2005091963.tif 000003
【図２】
2005091963.tif 000004
【図３】
2005091963.tif 000005